(57)【特許請求の範囲】
【請求項１】
建物の基礎に貫通状に埋設される側面視略Ｃ字状の鞘管と該鞘管内に装着される側面視略Ｃ字状の内管とからなる基礎埋設用排水管であって、
該鞘管及び該内管は、
外形が円弧状に湾曲している本体部を有し、
該鞘管及び該内管の各本体部の曲げ半径は互いに略同一に設定されており、
かつ、建物の基礎に貫通状に埋設された該鞘管内に該内管が装着された状態において該鞘管の本体部の管軸と該内管の本体部の管軸とが略一致するような曲管形状とされた成形体で構成されており、該内管は強制的に湾曲させることなく該鞘管の上流側端部から円弧を描きながら該鞘管内部へ滑り込ませて挿入することが出来るようにした
ことを特徴とする基礎埋設用排水管。
【請求項２】
該内管は、
該本体部の上流側端部と下流側端部とに直管形状の受口部がそれぞれ設けられており、
かつ、該本体部の外周面には、該本体部の周方向に沿って形成され、外向きに突出する環状凸部が該内管の管軸方向に沿って間隔をおいて複数形成されており、
側面視した状態で該内管の該受口部は、側面視した状態で該本体部の各環状凸部の先端を結んで構成される内管最外円弧よりも該本体部の管軸側の領域に位置している請求項１記載の基礎埋設用排水管。
【請求項３】
該鞘管の上流側管端部に、継ぎ足し用鞘管が脱着可能に接続されている請求項１又は請求項２記載の基礎埋設用排水管。
【請求項４】
該内管が該鞘管内に装着された状態において、
該内管の下流側管端部と該鞘管の下流側管端部との間隙には下流側シールリングが介在しており、
該下流側シールリングの外周面には、該内管の下流側管端部と該鞘管の下流側管端部との間隙に介在した状態で該鞘管の下流側管端部の管口縁と当接する当接段部が形成されている請求項１乃至請求項３のいずれか１項に記載の基礎埋設用排水管。
【請求項５】
下流側シールリングが介在した該内管の下流側管端部と該鞘管の下流側管端部との間隙において、
該間隙における該下流側シールリングよりも上流位置に、該下流側シールリングの厚みより狭い狭隙部が形成されている請求項４記載の基礎埋設用排水管。
【請求項６】
請求項４又は請求項５記載の基礎埋設用排水管における下流側シールリングの脱着方法であって、
建物の基礎に貫通状に埋設された鞘管内に挿入された内管を該鞘管内で下流側に移動させて該鞘管の下流側管端部から該内管の下流側管端部を突出させ、該内管の下流側管端部と該鞘管の下流側管端部との間隙に下流側シールリングを介在させるあるいは該下流側シールリングを取り外すようにしたことを特徴とする基礎埋設用排水管における下流側シールリングの脱着方法。
【発明の詳細な説明】
【技術分野】
【０００１】
本発明は、建物の基礎に埋設される基礎埋設用排水管に関するものである。
【背景技術】
【０００２】
従来から、建物内に配置されているトイレ、洗面化粧台、浴室、縦樋（ルーフドレン配管）、あるいは集水ますなどの排水設備から出る排水を、該建物の基礎に貫通状に埋設した排水管を介して屋外へ排出するようにした排水構造が提供されている。
【０００３】
さらに、該排水管としては、基礎に埋設される鞘管と、該鞘管内に装着される内管とで構成されたものが提案されている（例えば、特許文献１参照。）。このように基礎に貫通状に埋設される排水管を鞘管と内管とで構成すると、鞘管に対して該内管を脱着することができるため、該基礎を傷めることなく該内管の点検や交換等を簡単に行うことができる。
【先行技術文献】
【特許文献】
【０００４】
【特許文献１】特開２００８−１５０８８９号公報（図２）
【発明の概要】
【発明が解決しようとする課題】
【０００５】
しかしながら、上記特許文献１の構成は、内管としての可撓管継ぎ手が直管形状の成形体からなり、作業者は、該可撓管継ぎ手をさや管内に装着する際に該可撓管継ぎ手を該さや管に沿って強制的に湾曲させる必要があるため、作業性が良くないという問題がある。
【０００６】
また、該可撓管継ぎ手は、該さや管内において強制的に湾曲された状態となるため、該可撓管継ぎ手には歪みが生じ、該可撓管継ぎ手の内周面に排水を妨げる凹凸が形成されやすいという問題もある。
【０００７】
また、歪んだ可撓管継ぎ手には曲げ応力が生じるため、長期的にそのような状態が継続すると疲労により該可撓管継ぎ手の機械的強度が低下し、破損等が生ずる問題もある。
【０００８】
さらに、該可撓管継ぎ手を湾曲できる角度範囲にも限界があり、これに伴い鞘管の形状が制限されて基礎の立ち上がり部と鞘管の屋内側開口との間隔が大きくなってしまい、建物の基礎周辺部において排水管をコンパクトに配管することが難しいという問題もある。
【０００９】
そこで、本発明は、上記問題を解決することができる基礎埋設用排水管を提供することを目的とする。
【課題を解決するための手段】
【００１０】
本発明は、建物の基礎に貫通状に埋設される側面視略Ｃ字状の鞘管と該鞘管内に装着される側面視略Ｃ字状の内管とからなる基礎埋設用排水管であって、該鞘管及び該内管は、外形が円弧状に湾曲している本体部を有し、該鞘管及び該内管の各本体部の曲げ半径は互いに略同一に設定されており、かつ、建物の基礎に貫通状に埋設された該鞘管内に該内管が装着された状態において該鞘管の本体部の管軸と該内管の本体部の管軸とが略一致するような曲管形状とされた成形体で構成されており、該内管は強制的に湾曲させることなく該鞘管の上流側端部から円弧を描きながら該鞘管内部へ滑り込ませて挿入することが出来るようにしたことを特徴とする基礎埋設用排水管である。
【００１１】
該鞘管と該内管の外形を上記構成としたため、作業者が建物の基礎に埋設された鞘管内に内管を挿入する際には、該内管を該鞘管の上流側端部から、円弧を描きながら該鞘管内部へ滑り込ませて挿入することができる。このとき、作業者は該内管を強制的に湾曲する必要がないため、作業性が良いし、該内管に歪みが生じにくいために該内管の内周面に排水を妨げる凹凸が形成されにくいし、疲労による機械的強度の低下も極めて発生しにくい。さらに、基礎の立ち上がり部と鞘管の屋内側の管端部との間隔を小さくすることができ、建物の基礎周辺部において該排水管をコンパクトに配管することが可能となる。
【００１２】
また、該内管は、該本体部の上流側端部と下流側端部とに直管形状の受口部がそれぞれ設けられており、かつ、該本体部の外周面には、該本体部の周方向に沿って形成され、外向きに突出する環状凸部が該内管の管軸方向に沿って間隔をおいて複数形成されており、側面視した状態で該内管の該受口部は、側面視した状態で該本体部の各環状凸部の先端を結んで構成される内管最外円弧よりも該本体部の管軸側の領域に位置していることが望ましい。
【００１３】
ここで上記環状凸部は、該内管を該鞘管内に挿入する際や該内管を該鞘管から抜き出す際などの脱着作業中に該鞘管と該内管との接触面積を減少させて該鞘管と該内管との間で生ずる摩擦抵抗を低減するものであるが、上記受口部の寸法形状を上記内管最外円弧よりも該本体部の管軸側の領域に配置されるように設定することにより該内管は鞘管内で引っかかることなく円滑かつ容易に移動可能となる。
【００１４】
また、該鞘管の上流側管端部に、継ぎ足し用鞘管が脱着可能に接続されていてもよい。
【００１５】
上記構成とすることにより、施工現場に合わせて該鞘管を適宜延長することが可能となる。
【００１６】
また、該内管が該鞘管内に装着された状態において、該内管の下流側管端部と該鞘管の下流側管端部との間隙には下流側シールリングが介在しており、該下流側シールリングの外周面には、該内管の下流側管端部と該鞘管の下流側管端部との間隙に介在した状態で該鞘管の下流側管端部の管口縁と当接する当接段部が形成されていることが望ましい。
【００１７】
上記構成とすることにより、該下流側シールリングが該鞘管内に入り込んでしまって不具合が生じるということがない。
【００１８】
さらに、下流側シールリングが介在した該内管の下流側管端部と該鞘管の下流側管端部との間隙において、該間隙における該下流側シールリングよりも上流位置に、該下流側シールリングの厚みより狭い狭隙部が形成されていることが望ましい。
【００１９】
上記構成において下流側シールリングは該狭隙部を通過することができないため、該下流側シールリングが該鞘管内に入り込んでしまうことをより一層確実に防止できる。
【００２０】
また、本発明は、上記基礎埋設用排水管における下流側シールリングの脱着方法であって、建物の基礎に貫通状に埋設された鞘管内に挿入された内管を該鞘管内で下流側に移動させて該鞘管の下流側管端部から該内管の下流側管端部を突出させ、該内管の下流側管端部と該鞘管の下流側管端部との間隙に下流側シールリングを介在させるあるいは該下流側シールリングを取り外すようにしたことを特徴とする基礎埋設用排水管における下流側シールリングの脱着方法である。
【００２１】
上記構成において、該内管は該鞘管内において管軸方向に沿って容易に移動させることができるため、該内管の下流側管端部を適宜動かして下流側シールリングの脱着を行うことができる。
【発明の効果】
【００２２】
本発明の基礎埋設用排水管は、建物の基礎に埋設された鞘管内に内管を容易に挿入することができ、極めて作業性に優れている。
【図面の簡単な説明】
【００２３】
【図１】基礎埋設排水管の縦断面図
【図２】ａ）は鞘管の縦断面図、ｂ）は内管の縦断面図
【図３】内管を鞘管内に挿入する状態を示す説明図
【図４】内管を鞘管内に挿入した状態を示す説明図
【図５】下流側シールリングを装着する際の状態を示す説明図
【発明を実施するための形態】
【００２４】
図１等に従って、建物の基礎１に埋設されて用いられる基礎埋設用排水管２の実施例を説明する。
図１に示すように、該基礎埋設用排水管２は、該基礎１に埋設される鞘管１０を備えている。該鞘管１０は、図２ａに示すように、断面円形で内外周面が非凹凸形とされ、側面視略Ｃ字状の曲管形状とされた成形体で構成され、具体的には、円弧状に湾曲した本体部１１（円弧部分）と、該本体部１１の上流側端部１１Ｂから延出された上流側の直管部１２Ｂと、該本体部１１の下流側端部１１Ａから延出された下流側の直管部１２Ａとを有している。そして、該鞘管１０にあっては、基礎１に埋設された際に、下流側の管端部１０Ａが屋外側で略水平方向に開口し、上流側の管端部１０Ｂが該基礎１の床部側で略鉛直上向きに開口する。
【００２５】
該鞘管１０は、例えば硬質塩化ビニル樹脂材によって成形される構成が好ましい。
【００２６】
本実施例における鞘管５において、図２ａに示す内径Ｓ１は１２９．２ｍｍ、外径Ｓ２は１３５ｍｍに設定されていると共に、該鞘管１０における本体部１１の曲げ半径Ｓ１０は３００ｍｍに設定されている。また、上流側の直管部１２Ｂにおける軸長Ｓ３は５７ｍｍ、下流側の直管部１２Ａにおける軸長Ｓ４は５７ｍｍに設定され、該鞘管５の管軸Ｌ１の全軸長Ｓ５は５８５ｍｍに設定されている。
【００２７】
また、図１に示すように、該基礎埋設用排水管２は、該鞘管１０内に装着される内管２０を備えている。該内管２０は、図２ｂに示すように、断面円形で内周面が非凹凸形とされ、断面変形自在な側面視略Ｃ字状の曲管形状とされた成形体で構成される。
【００２８】
内管２０についてさらに詳述すると、該内管２０は、円弧状に湾曲している本体部２１（円弧部分）と、該本体部２１の上流側の端部２１Ｂに設けられた直管形状の上流側受口部２２Ｂと、該本体部２１の下流側の端部２１Ａに設けられた直管形状の下流側受口部２２Ａとを有している。
【００２９】
該内管２０の本体部２１は、例えばスチレン-ブタジエンゴム（ＳＢＲ）等の合成ゴムや熱可塑性エラストマー、あるいは軟質塩化ビニル樹脂材で成形される構成が好ましく、該内管２０の受口部２２Ａ，２２Ｂは、例えば硬質塩化ビニル樹脂材で成形される構成が好ましい。
【００３０】
本実施例における該内管２０において、図２ｂに示す内径Ｓ６は１０７ｍｍ、外径は１１４ｍｍに設定されていると共に、該内管２０における本体部２１の曲げ半径Ｓ１１は、上記鞘管１０の本体部１１の曲げ半径Ｓ１０と同じ値に設定されている。また、上流側受口部２２Ｂにおける軸長Ｓ８は５０ｍｍ、下流側受口部２２Ａにおける軸長Ｓ９は５０ｍｍに設定され、上記鞘管１０における管軸Ｌ１の軸長Ｓ５と、該内管２０における管軸Ｌ２の軸長とが略同一となるように設定されている。
【００３１】
また、該内管２０の本体部２１の外周面には、該本体部２１の周方向に沿って環状のリング体が外嵌されることにより構成された環状凸部２３が形成されている。該環状凸部２３は、該本体部２１の外周面に対して外向きに突出し、該内管２０の本体部２１の管軸方向に沿って間隔をおいて複数形成されている。該環状凸部２３は、該内管２０を該鞘管１０内に挿入する際や該内管２０を該鞘管１０から抜き出す際などの脱着作業中に該鞘管１０と該内管２０との接触面積を減少させて該鞘管１０と該内管２０との間で生ずる摩擦抵抗を低減するものである。
【００３２】
そして、図２ｂに示すように、側面視した状態で該内管２０の該受口部２２Ａ，２２Ｂは、側面視した状態で該本体部２１の各環状凸部２３の先端を結んで構成される内管最外円弧ｋよりも管軸Ｌ２側の領域に位置するように設定されている。
【００３３】
そして、該基礎埋設用排水管２を施工する場合には、まず基礎１に鞘管１０を埋設し、次に、図３に示すように、基礎１に埋設された鞘管１０内に、該内管２０を屋内側（上端側）から挿入して、図４に示すように、該内管２０を該鞘管１０内に配置する。該基礎埋設用排水管２は、該鞘管１０及び該内管２０の各本体部１１，２１の曲げ半径Ｓ１０，Ｓ１１は互いに略同一に設定され、また上記のように受口部２２Ａ，２２Ｂの寸法形状が該内管最外円弧ｋよりも該本体部２１の管軸側の領域に位置するように設定されているから、該内管２０は、強制的に変形させることなく、鞘管１０に沿って円弧を描きながら該鞘管１０の内部へ滑り込ませて挿入することができる。このように内管２０挿入時に該内管２０自体を強制的に曲げる必要がなく、軽い挿入力を与えるだけでよいため作業性が極めて良い。
【００３４】
図４に示すように、該内管２０を該鞘管１０内に挿入した後は、該内管２０の下流側管端部２０Ａと該鞘管１０の下流側管端部１０Ａとの間隙Ｇ１に下流側シールリング３０Ａを介在させ（図１参照）、一方、該内管２０の上流側管端部２０Ｂと該鞘管１０の上流側管端部１０Ｂとの間隙には、上流側シールリング３０Ｂを介在させる（図１参照）。
【００３５】
ここで、上記下流側シールリング３０Ａの具体的な装着方法を述べると、図５に示すように、該鞘管１０内に挿入した該内管２０を該鞘管１０内で下流側に移動させて（図５ａ）、該鞘管１０の下流側管端部１０Ａから該内管２０の下流側管端部２０Ａを突出させる。そして、該突出させた内管２０の下流側管端部２０Ａの外周に下流側シールリング３０Ａを嵌着しながら（図５ｂ）、該内管２０を鞘管１０内へ押し込んで再び下流側管端部２０Ａを鞘管１０内に配置し、上記間隙Ｇ１に下流側シールリング３０Ａを介在させる（図５ｃ）。
これにより、鞘管１０と内管２０との間の水密が確保されて、基礎埋設用排水管２の施工が完了する。
【００３６】
なお、上記の施工完了状態においては、図１に示すように、該鞘管１０の管軸Ｌ１と、該内管２０の管軸Ｌ２とが一致し、これにより、少なくとも該鞘管１０の本体部１１の管軸と該内管２０の本体部２１の管軸とが一致した状態となる。また、図１に示す該施工完了状態における該内管２０と該鞘管２０との間隔（鞘管２０の内周面と内管２０の環状凸部２３先端とのクリアランス）Ｔは、少なくとも３．１ｍｍ以上となるように設定されている。
【００３７】
上記基礎埋設用排水管２の下流側は、例えば屋外に埋設される排水ます（図示省略）に連通させることができる。一方、上流側はトイレ等の排水設備（図示省略）に連通させることができる。また、該鞘管１０の上流側管端部１０Ｂにおいては、別体の継ぎ足し用鞘管４０を脱着可能に接続して継ぎ足し自在とすることにより、該継ぎ足し用鞘管４０を介して該排水設備に連通させることができる。
【００３８】
上記該施工完了状態においては、該内管２０は成形体としての曲管形状を維持したまま鞘管１０内に配置されており、該内管２０の内周面には排水を妨げる凹凸が形成されにくい。
また、上記施工方法にあっては、図３〜図５に示すように、該内管２０に軽い挿入力を与えるだけで容易に鞘管１０内へ挿入でき、また下流側シールリング３０Ａを間隙Ｇ１に容易に装着できる。
【００３９】
なお、図１に示すように、上記下流側シールリング３０Ａの外周面には、外向きに突出する当接段部３１が形成されており、該下流側シールリング３０Ａが該内管２０と該鞘管１０との間に介装された状態で、該当接段部３１が該鞘管１０の下流側管端部１０Ａの管口縁と当接する。したがって、装着時に該下流側シールリング３０Ａが鞘管１０の内部へ入り込みすぎることがない。
【００４０】
また、該鞘管１０の下流側管端部１０の管壁は、屋外側に拡がるテーパー形状に設定されており、装着済みの下流側シールリング３０Ａよりも上流位置において、該下流側シールリング３０Ａの厚みより狭い寸法に設定された狭隙部Ｇ２が形成されるようになっている。すなわち、上記構成においては、下流側シールリング３０Ａは狭隙部Ｇ２を通過することができないため、該下流側シールリング３０Ａが鞘管１０内へ入り込みすぎることがない。
【００４１】
ところで、作業者が漏水防止のため該基礎埋設用排水管２を点検等する際には、該内管２０を該鞘管１０内でわずかに下流側へ移動させて、該鞘管１０の下流側管端部１０Ａから該内管２０の下流側管端部２０Ａを突出させながら、該下流側シールリング３０Ａを取り外すことができる。
【００４２】
したがってこれまでに述べたように、上記した基礎埋設用排水管２は、下流側シールリング３０Ａの脱着作業が容易に行える。
【００４３】
本発明は、上記実施例に限定されず、本発明の主旨を逸脱しない範囲で適宜設計変更可能である。
例えば、上記内管２０はスチレン-ブタジエンゴム（ＳＢＲ）等の合成ゴムや熱可塑性エラストマー、あるいは軟質塩化ビニル樹脂材の成形体であるが、これらに代えて硬質塩化ビニル樹脂材の成形体であってもよい。
また、鞘管１０と内管２０の寸法形状は、施工現場に合わせて適宜変更可能である。
【符号の説明】
【００４４】
１              基礎
２              基礎埋設用排水管
１０            鞘管
１０Ａ，２０Ａ  下流側管端部
１０Ｂ，２０Ｂ  上流側管端部
１１            本体部（円弧部分）
２０            内管
２１            本体部（円弧部分）
２２Ａ，２２Ｂ  受口部
２３            環状凸部
３０Ａ          下流側シールリング
３１            当接段部
４０            継ぎ足し用鞘管
Ｇ１            間隙
Ｇ２            狭隙部
ｋ              内管最外円弧
Ｌ１，Ｌ２      管軸
Ｓ１０，Ｓ１１  曲げ半径
【図１】
0005694691.tif 000002
【図２】
0005694691.tif 000003
【図３】
0005694691.tif 000004
【図４】
0005694691.tif 000005
【図５】
0005694691.tif 000006